(57)【要約】【課題】店舗を応援するユーザが継続的に店舗を支援する仕組みを提供することを目的とする。【解決手段】本発明による店舗の営業支援方法は、所定の条件を満たすことでユーザに第一のステータスを付与することと、前記第一のステータスを有するユーザから、所望の店舗を他のユーザに紹介することを受け付けることと、前記紹介された他のユーザが、前記紹介した店舗に来店したことを受け付けることと、前記ユーザに所定の報酬を付与すること、とを含む。【選択図】図１５
2019160062.tif 000002
【特許請求の範囲】
【請求項１】
所定の条件を満たすことでユーザに第一のステータスを付与することと、
前記第一のステータスを有するユーザから、所望の店舗を他のユーザに紹介することを受け付けることと、
前記紹介された他のユーザが、前記紹介した店舗に来店したことを受け付けることと、
前記ユーザに所定の報酬を付与すること、
とを含む店舗の営業支援方法。
【請求項２】
請求項１に記載の営業支援方法であって、
前記所定の条件は、前記ユーザが所望の店舗を所定の数の他のユーザに紹介することであることを特徴とする営業支援方法。
【請求項３】
請求項１に記載の営業支援方法であって、
前記所定の条件は、前記ユーザが所定の検定に合格することを特徴とする営業支援方法。
【請求項４】
請求項１に記載の営業支援方法であって、
前記紹介することは、前記紹介する店舗の情報とともに当該店舗を利用するための特典を、前記他のユーザに付与することを特徴とする営業支援方法。
【請求項５】
請求項１に記載の営業支援方法であって、
前記所定の報酬は、前記紹介した店舗を利用するための特典であることを特徴とする営業支援方法。
【請求項６】
請求項１に記載の営業支援方法であって、
前記所定の報酬は、前記紹介した店舗の売上額から還元されることを特徴とする営業支援方法。
【請求項７】
所定の条件に基づいて、ユーザに第一のステータスを付与するマスターユーザ管理部と、
前記第一のステータスを有するユーザから、所望の店舗を他のユーザに紹介することを受け付ける紹介管理部と、
前記紹介された他のユーザが、前記紹介した店舗に来店したことを受け付ける店舗管理部と、
前記ユーザに所定の報酬を付与する報酬管理部と、
を含む店舗支援管理サーバ。
【発明の詳細な説明】
【技術分野】
【０００１】
本発明は、店舗の営業支援方法及びサーバに関する。
【背景技術】
【０００２】
従来、ユーザに対し、特定の店舗で利用可能な電子的なクーポンを配布することで、そのユーザが店舗を利用することを促進するサービスが検討されている。
【０００３】
例えば、ユーザが、電子的なクーポンを自分の端末に予めダウンロードしておき、実店舗に近づくと、クーポン画面が端末に表示され、予約可能な日時を表示するとともに予約手続のためのインターフェースが表示される、というシステムが開示されている（例えば、特許文献１）。これにより、ユーザが店舗に来店する機会を増やすよう試みることができる。
【０００４】
また、ユーザ紹介の仕組みを利用し、一のユーザから他のユーザに対して電子的なクーポンを付与し、これをサーバで管理し、クーポンを付与されたユーザが来店し、クーポンを使うと、その旨がサーバに通知され、さらに、クーポンを付与したユーザは、何らかの報酬を得ることができるシステムが開示されている（例えば、特許文献２）。これにより、常連客であるユーザが、他のユーザに対して積極的に常連店を紹介することを可能としている。
【先行技術文献】
【特許文献】
【０００５】
【特許文献１】特開２０１７−２２８０８５号公報
【特許文献２】特開２０１６−００４２９３号公報
【発明の概要】
【発明が解決しようとする課題】
【０００６】
しかしながら、特に、特許文献２に開示されるような、店舗の営業支援方法は、店舗と客という関係以上のものは期待できず、客の枠を超えて、より継続的に店舗を支援できるような方法の導入が期待される。
【０００７】
そこで、本発明は、店舗を応援するユーザが継続的に店舗を支援する仕組みを提供することを目的とする。
【課題を解決するための手段】
【０００８】
本発明の一の実施形態は、店舗の営業支援方法であって、所定の条件を満たすことでユーザに第一のステータスを付与することと、前記第一のステータスを有するユーザから、所望の店舗を他のユーザに紹介することを受け付けることと、前記紹介された他のユーザが、前記紹介した店舗に来店したことを受け付けることと、前記ユーザに所定の報酬を付与すること、とを含む。
【発明の効果】
【０００９】
本発明によれば、店舗を応援するユーザが継続的に店舗を支援する仕組みを提供することができる。
【図面の簡単な説明】
【００１０】
【図１】本発明による第１の実施の形態によるシステムの構成図である。
【図２】本発明による第１の実施の形態による管理サーバの機能ブロック図である。
【図３】本発明による第１の実施の形態による管理サーバの制御部の詳細を示した機能ブロック図である。
【図４】本発明による第１の実施の形態による管理サーバのストレージの詳細を示した機能ブロック図である。
【図５】本発明による第１の実施の形態によるユーザ管理テーブルの例である。
【図６】本発明による第１の実施の形態によるマスターユーザ管理テーブルの例である。
【図７】本発明による第１の実施の形態による紹介履歴管理テーブルの例である。
【図８】本発明による第１の実施の形態による店舗管理テーブルの例である。
【図９】本発明による第１の実施の形態による来店履歴管理テーブルの例である。
【図１０】本発明による第１の実施の形態による報酬管理テーブルの例である。
【図１１】本発明による第１の実施の形態によるユーザ端末の機能ブロック図である。
【図１２】本発明による第１の実施の形態によるユーザ端末の制御部の詳細を示した機能ブロック図である。
【図１３】本発明による第１の実施の形態による店舗端末の機能ブロック図である。
【図１４】本発明による第１の実施の形態による店舗端末の制御部の詳細を示した機能ブロック図である。
【図１５】本発明による第１の実施の形態による営業支援方法のうち、マスターユーザ登録に係る処理を示すフローチャートの例である。
【図１６】本発明による第１の実施の形態による営業支援方法のうち、応援店舗登録に係る処理を示すフローチャートの例である。
【図１７】本発明による第１の実施の形態による営業支援方法のうち、来店入力処理に係る処理を示すフローチャートの例である。
【図１８】本発明による第１の実施の形態による営業支援方法のうち、売上按分処理に係る処理を示すフローチャートの例である。
【図１９】本発明による第１の実施の形態による店舗端末に表示される応援ユーザの確認画面の例である。
【発明を実施するための形態】
【００１１】
本発明の実施形態の内容を列記して説明する。本発明の実施の形態による店舗の営業支援方法は、以下のような構成を備える。
［項目１］
所定の条件を満たすことでユーザに第一のステータスを付与することと、
前記第一のステータスを有するユーザから、所望の店舗を他のユーザに紹介することを受け付けることと、
前記紹介された他のユーザが、前記紹介した店舗に来店したことを受け付けることと、
前記ユーザに所定の報酬を付与すること、
とを含む店舗の営業支援方法。
［項目２］
請求項１に記載の営業支援方法であって、
前記所定の条件は、前記ユーザが所望の店舗を所定の数の他のユーザに紹介することであることを特徴とする営業支援方法。
［項目３］
請求項１に記載の営業支援方法であって、
前記所定の条件は、前記ユーザが所定の検定に合格することを特徴とする営業支援方法。
［項目４］
請求項１に記載の営業支援方法であって、
前記紹介することは、前記紹介する店舗の情報とともに当該店舗を利用するための特典を、前記他のユーザに付与することを特徴とする営業支援方法。
［項目５］
請求項１に記載の営業支援方法であって、
前記所定の報酬は、前記紹介した店舗を利用するための特典であることを特徴とする営業支援方法。
［項目６］
請求項１に記載の営業支援方法であって、
前記所定の報酬は、前記紹介した店舗の売上額から還元されることを特徴とする営業支援方法。
［項目７］
所定の条件に基づいて、ユーザに第一のステータスを付与するマスターユーザ管理部と、
前記第一のステータスを有するユーザから、所望の店舗を他のユーザに紹介することを受け付ける紹介管理部と、
前記紹介された他のユーザが、前記紹介した店舗に来店したことを受け付ける店舗管理部と、
前記ユーザに所定の報酬を付与する報酬管理部と、
とを含む店舗支援管理サーバ。
【００１２】
（第１の実施の形態）
以下、本発明の第１の実施の形態による店舗の営業支援方法について、図面を参照しながら説明する。図１は、本発明による第１の実施の形態による営業支援システムの構成図である。  
【００１３】
図１に示すように、営業支援サービスを提供するシステムは、管理サーバ１と、管理サーバ１に、インターネット等のネットワークを介して接続される、ユーザ端末２と店舗端末とを含む。図１には、１つのユーザ端末２及び店舗端末３が図示されているが、複数のユーザ端末及び店舗端末がネットワークに接続可能である。
【００１４】
管理サーバ１は、営業支援サービスを、アプリケーションを介してユーザ端末２及び店舗端末３に対して提供することができる。ユーザ端末２及び店舗端末３は、同一の、または、異なるアプリケーションを管理サーバ１または別のサーバからダウンロードし、このアプリケーションを実行することで、ユーザ端末２と管理サーバ１とが、または、店舗端末３と管理サーバ１とが連携して、情報を送受信することで、管理サーバ１は、ユーザ端末２または店舗端末３に対してサービスを提供することが可能となる。
【００１５】
店舗端末３として、予めアプリケーションがダウンロードされたタブレット端末等を、営業支援サービスを提供する事業者が店舗に対して貸与したり、譲渡することもできる。また、一度中間事業者に貸与または譲渡したものをサブリースという形態で貸与し、その店舗が、営業支援サービスを通じて計上した売上を、店舗と事業者との間で按分することも考えられる。
【００１６】
また、管理サーバ１は、管理者端末４、コールセンタ５及びＳＮＳサーバ６と、インターネット等のネットワークを介して接続し、ユーザ端末２または店舗端末３に対して提供されるサービスの運営を行うことができる。例えば、管理者端末４は、ＰＣ等を通じて、営業支援サービスの運営に必要な情報を入出力することができる。また、コールセンタ５は、ユーザ端末１または店舗端末２からの問い合わせ対応を行う。対応方法としては、電話対応、チャット対応、またはＥメールによる対応等が考えられる。例えば、ユーザ端末１は、アプリケーション内の問い合わせ機能を通じて、コールセンタ５に問い合わせることができる。問い合わせは、まずチャットウィンドウによる問い合わせとすることができ、コールセンタ５は、コールセンタのスタッフの稼動状況を確認することで、問い合わせユーザに対する折り返し電話可能時間を特定し、いつ折り返し電話対応が可能かを示す情報を含む自動返信メッセージを生成し、チャットコミュニケーションツールを通じて返信することができる。また、ユーザの中でも、予め決められた条件を満たし、特別なステータスを付与された、マスターユーザのみに問い合わせを可能にしたり、問い合わせの折り返し電話の待ち行列の順位を優先的に付与したりすることができる。また、コールセンタ５側の返信者として、マスターユーザ代表名を冠したキャラクタや有名人のアイコンをチャットウィンドウ上に表示したり、店舗端末３からの問い合わせに対しては、その店舗の応援ユーザ代表者の名前を冠したキャラクタや有名人のアイコンを表示したりすることもできる。
【００１７】
ＳＮＳサーバ６は、ユーザと、そのユーザが応援する店舗とが、チャットコミュニケーションツール等を通じて、直接会話をするために必要な機能を提供することができる。例えば、ユーザ端末１は、アプリケーション内のチャットコミュニケーション機能を通じて、応援先の店舗や他の応援ユーザ（例えば、その店舗を紹介したユーザ）に対し、チャットリクエストを送信することができる。リクエストを受信した店舗や他の応援ユーザは、リクエストを承諾または拒否することができ、承諾する場合は、チャットウィンドウを通じてメッセージの送受信を行うことができる。このチャットコミュニケーションの機能についても、マスターユーザのみに有効化されるよう設定することもできる。
【００１８】
図２は、本発明による第１の実施の形態による管理サーバの機能ブロック図である。なお、図示された構成は一例であり、これ以外の構成を有していてもよい。
【００１９】
図示されるように、管理サーバ１は、データベース(図示せず)と接続されシステムの一部を構成する。管理サーバ１は、例えばワークステーションやパーソナルコンピュータのような汎用コンピュータとしてもよいし、或いはクラウド・コンピューティングによって論理的に実現されてもよい。
【００２０】
管理サーバ１は、少なくとも、制御部１０、メモリ１１、ストレージ１２、送受信部１３、入出力部１４等を備え、これらはバス１５を通じて相互に電気的に接続される。
【００２１】
制御部１０は、管理サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。
【００２２】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００２３】
ストレージ１２は、アプリケーション・プログラム等の各種プログラムを格納する。各処理に用いられるデータを格納したデータベース(図示せず)がストレージ１２に構築されていてもよい。
【００２４】
送受信部１３は、管理サーバ１をネットワークに接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インターフェースを備えていてもよい。
【００２５】
入出力部１４は、キーボード・マウス類等の情報入力機器、及びディスプレイ等の出力機器である。
【００２６】
バス１５は、上記各要素に共通に接続され、例えば、アドレス信号、データ信号及び各種制御信号を伝達する。
【００２７】
図３は、本発明による第１の実施の形態による管理サーバの制御部１０の詳細を示した機能ブロック図である。上述の通り、制御部１０において、本実施の形態に係る店舗の営業支援サービスに関するアプリケーション・プログラムの実行がされ、この実行されるプログラムのモジュールは、図示のとおり、いくつかの機能ブロックに分けられる。また、管理サーバの本制御部で実行される機能ブロックの全部又は一部は、その性質に応じてユーザ端末または店舗端末の制御部によって実行することも可能である。
【００２８】
まず、ユーザ管理部２１は、本実施の形態に係る店舗の営業支援サービスに関するアプリケーション（以下、本アプリケーション）を利用するユーザ情報を管理し、また、ユーザ情報をストレージ１２に格納する。本実施の形態において、ユーザは、一般ユーザとマスターユーザとに大別される。本アプリケーションを利用する全てのユーザは、一旦は、この「一般ユーザ」となる。ユーザは、ユーザ端末２において、アプリケーションを起動し、画面上に表示される所定のページにおいて、サービスの利用に必要最低限の情報（例えば、ユーザＩＤ、パスワード）を入力し、アカウントを作成することで、一般ユーザとなり、ユーザ管理部２１により、必要な情報がストレージ１２に格納される。
【００２９】
次に、マスターユーザ管理部２２は、マスターユーザに関する情報を管理し、また、マスターユーザ情報をストレージ１２に格納する。本実施の形態において、マスターユーザとは、一般ユーザであって、所定の条件を満たしたユーザが取得する、所定のステータスを有するユーザ、のことをいう。ここで、所定の条件として、例えば、一般ユーザが、お気に入りの店舗を、３人以上の他のユーザに対して紹介したこと、または、これに加えて、紹介したユーザが実際に店舗に来店し、サービスを利用したこと等が挙げられる。紹介に付帯して、例えば、電子的なクーポン（以下、電子クーポン）を付与する。電子的なクーポンとは、対象となる店舗を利用する際にその店舗から何らかの特典（例えば、所定の価格からの割引、追加のサービスなど）を得るためのチケットであって、電子化されたものをいう。電子クーポンの付与方法としては、電子クーポンが印字された画像を特定のフォーマットで保存されたファイル（例えば、ＱＲコード（登録商標）の画像ファイル）を送信する方法、電子チケットの画像ファイルにアクセスするためのＵＲＬを送信する方法、対象となる店舗に紹介したユーザのＩＤ等ユーザを識別可能な情報を予め送信しておき、そのユーザが来店時に店舗端末において所定の手続を行う方法等様々な方法が考えられるが、一つの方法に限定されず、店舗側が、来店したユーザが、電子クーポンを付与されたユーザと同一人物であることを確認し、そのユーザに予め決められた特典を付与できることが可能であれば、いずれの方法でも構わない。上記のように、一般ユーザが、実際に所定の複数のユーザに対して、店舗を紹介する、という行為を行ったことを、マスターユーザ管理部２２が確認することで、マスターユーザ管理部２２は、そのユーザに、マスターユーザというステータスを付与し、そのユーザをマスターユーザとして、関連する情報をストレージ１２に格納する。
【００３０】
マスターユーザのステータスを得るための他の方法として、一般ユーザ、または、オフラインのユーザ（すなわち、アプリケーションを利用しないユーザ）が、サービス運営者が用意した所定の教材を利用し、検定を受検し、これに合格する、という方法も挙げられる。教材としては、電子的な印刷物（電子書籍や漫画等）を一般ユーザ、または、オフラインのユーザに送信することが考えられる。Ｅラーニング同様、ユーザの学習状況をオンラインで管理し、また、オンラインで検定及び採点を実施し、無事に合格したユーザに対して、マスターユーザの資格を付与することもできる。または、郵送等の方法により、教材等の送付を行い、同様に合格したユーザにマスターユーザの資格を付与することもできる。教材や検定は有償とすることもできる。いずれの方法においても、マスターユーザ管理部２２は、マスターユーザの資格を付与されたユーザに関連する情報を、ストレージ１２に格納する。
【００３１】
紹介管理部２３は、一般ユーザ、または、マスターユーザの他のユーザに対する店舗の紹介情報を管理する。具体的には、どのユーザが、どのユーザに対し、どの店舗を紹介したか、といった情報を、ストレージ１２に格納する。
【００３２】
店舗管理部２４は、本アプリケーションを利用する店舗に関連する情報を管理し、ストレージ１２に格納する。上述の通り、サービスの運営者、または、マスターユーザ等のユーザは、本アプリケーションが事前にインストールされたタブレット端末を店舗に譲渡または貸与することができ、店舗は、この端末を店舗に常備しておくことができる。店舗は、店舗端末３にインストールされたアプリケーションを起動し、本アプリケーションを利用するために必要最低限な情報（店舗ＩＤやパスワード等）を入力し、店舗用のアカウントを作成する。そして、店舗管理部２４は、アカウント情報をストレージ１２に格納する。なお、ユーザがユーザ端末を通じて利用するアプリケーションと、店舗が店舗端末を通じて利用するアプリケーションは、同じであっても、別のアプリケーションであってもよい。別のアプリケーションであっても、各々のアプリケーションが他のアプリケーションの必要な機能を利用するためのＡＰＩが各々提供されていれば、各々のアプリケーションで管理される情報も含めて、機能の連携を図ることができる。
【００３３】
報酬管理部２５は、マスターユーザに付与される報酬を管理し、また、関連する情報をストレージ１２に格納する。報酬は、マスターユーザが所定の条件を満たすことで付与される。所定の条件の例として、上記例と類似するが、例えば、マスターユーザが、お気に入りの店舗を、３人以上の他のユーザに対して紹介したこと、または、これに加えて、紹介したユーザが実際に店舗に来店し、サービスを利用したこと等が挙げられる。報酬の形態として、紹介したマスターユーザが、その店舗の電子クーポンを付与される形態や、紹介されたユーザがその店舗で使った金額の一部を受け取る、といった方法も考えられるが、これに限らない。
【００３４】
その他、制御部１０は、ユーザ端末１のディスプレイに表示される画面を構成するデータを生成する、表示制御部２６を有する。
【００３５】
図４は、本発明による第１の実施の形態による管理サーバのストレージ１２の詳細を示した機能ブロック図である。ストレージ１２は、本アプリケーションを利用するユーザに関連する情報を、ユーザ管理テーブル３１として格納する領域を有する。また、マスターユーザに関する情報を、マスターユーザ管理テーブル３２として格納する領域、ユーザが他のユーザに対して店舗を紹介した履歴を管理する、紹介履歴管理テーブル３３を格納する領域、本アプリケーションを利用する店舗に関する情報を、店舗管理テーブル３４として格納する領域、また、ユーザが店舗に来店し、利用した履歴を、来店履歴管理テーブル３５として格納する領域、さらに、マスターユーザに付与される報酬管理を、報酬管理テーブル３６として格納する領域を有する。これらのテーブルの全部又は一部は、ストレージ１２に格納する代わりに、管理サーバ１の内外の任意の記憶領域に格納することができる。
【００３６】
以下、ストレージ１２に格納される各テーブルの詳細について説明する。図５は、本発明による第１の実施の形態によるユーザ管理テーブルの例である。
【００３７】
ユーザ管理テーブルは、本アプリケーションを利用するユーザ（上記、一般ユーザ）の個々のＩＤに紐づいたユーザ毎に、所定の情報を格納する。ユーザ管理テーブルは、例えば、ユーザＩＤ「ユーザＡ」について、ユーザ名（実名またはニックネーム等）、連絡先（住所、電話番号、Ｅメールアドレス等）、生年月日、及び所持クーポンＩＤ（他のユーザから特定の店舗を利用するためのクーポンを付与されたときに、そのクーポンを識別する情報）、紹介履歴（ユーザが他のユーザに特定の店舗を紹介し、他のユーザが実際に来店した履歴）、マスターユーザＩＤの有無を格納することができる。ユーザ管理テーブルに格納される情報はこれらの一部であっても良いし、必要に応じて他の情報が追加されてもよい。
【００３８】
図６は、本発明による第１の実施の形態によるマスターユーザ管理テーブルの例である。マスターユーザ管理テーブルは、本アプリケーションを利用するマスターユーザに関する情報を、個々のＩＤに紐づいたユーザ毎に格納する。マスターユーザ管理テーブルは、例えば、ユーザＩＤ「ユーザＡ」について、ユーザ名（実名またはニックネーム等）、連絡先（住所、電話番号、Ｅメールアドレス等）、生年月日、登録した友だちのユーザＩＤ等、登録した応援する店舗ＩＤ等、及び他のユーザから付与された所持クーポンＩＤを格納することができる。に格納される情報はこれらの一部であっても良いし、必要に応じて他の情報が追加されてもよい。マスターユーザというステータスの性質上、マスターユーザ管理テーブルに含まれる情報は、一般ユーザ管理テーブルに含まれる情報量より多く、また詳細な情報であることが好ましい。特に、マスターユーザは、報酬を金銭で受領するユーザでもあるため、金銭を受領するための手段に関する情報をはじめ、本人を特定するための情報を提供することが望まれる。
【００３９】
図７は、本発明による第１の実施の形態による紹介履歴管理テーブルの例である。紹介履歴管理テーブルは、本アプリケーションを利用するユーザが他のユーザに対して店舗を紹介した履歴を格納する。ユーザが他のユーザに対して特定の店舗を紹介する形態の一例として、電子クーポンを付与することが挙げられる。電子クーポンを付与する場合、ユーザＩＤ別に、付与したクーポンを識別するＩＤ、紹介した店舗（クーポンを利用可能な店舗）、紹介したユーザ（ユーザＩＤ）といった情報を格納する。図７における例では、「ユーザＡ」について、電子クーポンのクーポンＩＤ「Ｃ０００１」と、このクーポンに関連付けられる店舗ＩＤ「店舗Ａ」、及び店舗Ａを紹介したユーザ（「ユーザＢ」「ユーザＣ」「ユーザＤ」）といった情報が格納される。また、紹介履歴管理テーブルは、同種の情報を店舗ＩＤ別に格納することもできる。
【００４０】
図８は、本発明による第１の実施の形態による店舗管理テーブルの例である。店舗管理テーブルは、本アプリケーションを利用する店舗に関する情報を格納する。店舗管理テーブルは、例えば、店舗ＩＤ「店舗Ａ」の店舗名、住所、連絡先、店舗Ａを説明する内容（（飲食店である場合には）メニュー、価格、ジャンル等）、及びその店舗を応援するユーザＩＤといった情報を格納する。その他、店舗ＩＤに関連する電子クーポンのクーポンＩＤといった情報も格納することができる。店舗管理テーブルに格納される情報はこれらの一部であっても良いし、必要に応じて他の情報が追加されてもよい。
【００４１】
図９は、本発明による第１の実施の形態による来店履歴管理テーブルの例である。来店履歴管理テーブルは、ユーザが店舗に来店し、利用した履歴を格納する。来店履歴管理テーブルは、例えば、店舗ＩＤ「店舗Ａ」について、「３月１日１８時」に「ユーザＢ」「ユーザＣ」「ユーザＤ」の３人が来店し、クーポンＩＤ「Ｃ０００１」の電子クーポンを利用した、という情報を格納する。また、来店履歴管理テーブルは、同種の情報をユーザＩＤ別に格納することもできる。
【００４２】
図１０は、本発明による第１の実施の形態による報酬管理テーブルの例である。報酬管理テーブルは、マスターユーザに付与される報酬に関連する情報を格納する。報酬管理テーブルは、例えば、ユーザＩＤ「ユーザＡ」が他のユーザに店舗を紹介するために付与したクーポンＩＤ「Ｃ０００１」の電子クーポンを、紹介したユーザが店舗で利用することで、ポイント３が付与された、という情報を格納する。本例においては、電子クーポンを利用した人数に応じてポイントが付与され、例えば、３人のユーザが同じＩＤのクーポンを利用すれば、人数に応じたポイント「３」が付与される。他の機会において、ユーザＡは、クーポンＩＤ「Ｃ０００２」について、ポイント「１」を付与され、またさらに他の機械において、ポイント「５」を付与される。ユーザＡに対して、管理サーバは、ポイントに応じた金額または特典（例えば、各々の店舗に利用可能な電子クーポン）をユーザＡに付与することもできる。本例においては、報酬管理として、ポイント制を導入しているが、金額その他の報酬の価値に関連付けられた、他の指標を用いることもできる。
【００４３】
図１１は、本発明による第１の実施の形態によるユーザ端末の機能ブロック図である。なお、図示された構成は一例であり、これ以外の構成を有していてもよい。
【００４４】
ユーザ端末２は、例えばワークステーションやパーソナルコンピュータのような汎用コンピュータとしてもよいし、或いはスマートフォン、タブレット、携帯端末、その他情報端末等であってもよい。
【００４５】
ユーザ端末２は、少なくとも、制御部４０、メモリ４１、ストレージ４２、送受信部４３、入出力部４４等を備え、これらはバス４５を通じて相互に電気的に接続される。
【００４６】
制御部４０は、ユーザ端末２全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ４２に格納されメモリ４１に展開されたプログラム等を実行して各情報処理を実施する。
【００４７】
メモリ４１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ４１は、プロセッサ４０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００４８】
ストレージ４２は、アプリケーション・プログラム等の各種プログラムを格納する。
【００４９】
送受信部４３は、ユーザ端末２をネットワークに接続する。なお、送受信部４３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インターフェースを備えていてもよい。
【００５０】
入出力部４４は、キーボード・マウス類等の情報入力機器、及びディスプレイ等の出力機器である。
【００５１】
バス４５は、上記各要素に共通に接続され、例えば、アドレス信号、データ信号及び各種制御信号を伝達する。
【００５２】
図１２は、本発明による第１の実施の形態によるユーザ端末の制御部４０の詳細を示した機能ブロック図である。制御部４０において、本実施の形態に係る店舗の営業支援サービスに関するアプリケーション・プログラムの実行がされ、この実行されるプログラムのモジュールは、図示のとおり、いくつかの機能ブロックに分けられる。また、ユーザ端末の本制御部で実行される機能ブロックの全部又は一部は、その性質に応じて管理サーバまたは店舗端末の制御部によって実行することも可能である。
【００５３】
本制御部４０は、管理サーバ１の表示制御部２６から受信したデータ（例えば、ＨＴＭＬファイル）を解析し、このデータによって特定される画像及びテキスト等を表示する表示制御部５１、ユーザからの、タッチスクリーンや操作ボタンを介した入力を受け付ける入力受付部５２、及びユーザから入力された指示や情報を管理サーバ１にネットワークを介して送信する送信部５３等を有する。
【００５４】
図１３は、本発明による第１の実施の形態による店舗端末の機能ブロック図である。なお、図示された構成は一例であり、これ以外の構成を有していてもよい。
【００５５】
店舗端末３は、例えばワークステーションやパーソナルコンピュータのような汎用コンピュータとしてもよいし、或いはスマートフォン、タブレット、携帯端末、その他情報端末等であってもよい。
【００５６】
店舗端末３は、少なくとも、制御部６０、メモリ６１、ストレージ６２、送受信部６３、入出力部６４等を備え、これらはバス６５を通じて相互に電気的に接続される。
【００５７】
制御部６０は、店舗端末３全体の動作を制御し、各要素間におけるデータの送受信の制御、及びアプリケーションの実行及び認証処理に必要な情報処理等を行う演算装置である。例えば制御部６０はＣＰＵ（Ｃｅｎｔｒａｌ  Ｐｒｏｃｅｓｓｉｎｇ  Ｕｎｉｔ）であり、ストレージ６２に格納されメモリ６１に展開されたプログラム等を実行して各情報処理を実施する。
【００５８】
メモリ６１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ６１は、プロセッサ６０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００５９】
ストレージ６２は、アプリケーション・プログラム等の各種プログラムを格納する。
【００６０】
送受信部６３は、ユーザ端末２をネットワークに接続する。なお、送受信部６３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インターフェースを備えていてもよい。
【００６１】
入出力部６４は、キーボード・マウス類等の情報入力機器、及びディスプレイ等の出力機器である。
【００６２】
バス６５は、上記各要素に共通に接続され、例えば、アドレス信号、データ信号及び各種制御信号を伝達する。
【００６３】
図１４は、本発明による第１の実施の形態によるユーザ端末の制御部６０の詳細を示した機能ブロック図である。制御部６０において、本実施の形態に係る店舗の営業支援サービスに関するアプリケーション・プログラムの実行がされ、この実行されるプログラムのモジュールは、図示のとおり、いくつかの機能ブロックに分けられる。また、店舗端末の本制御部で実行される機能ブロックの全部又は一部は、その性質に応じて管理サーバまたはユーザ端末の制御部によって実行することも可能である。
【００６４】
本制御部６０は、管理サーバ１の表示制御部２６から受信したデータ（例えば、ＨＴＭＬファイル）を解析し、このデータによって特定される画像及びテキスト等を表示する表示制御部７１、ユーザからの、タッチスクリーンや操作ボタンを介した入力を受け付ける入力受付部７２、及びユーザから入力された指示や情報を管理サーバ１にネットワークを介して送信する送信部７３等を有する。
【００６５】
図１５は、本発明による第１の実施の形態による営業支援方法のうち、マスターユーザ登録に係る処理を示すフローチャートの例である。
【００６６】
まず、ユーザ管理部２１は、ユーザ端末２から受信されたユーザの、本アプリケーションへのログイン要求を受け付ける（Ｓ１０１）。続いて、ユーザ管理部２１は、ユーザ管理テーブルを参照し、そのユーザの紹介履歴（そのユーザが他のユーザに対して特定の店舗を紹介し、他のユーザが実際にその店舗に来店したことを示す、さらに、店舗を利用したことを示す情報等）を確認する（Ｓ１０２）。
【００６７】
次に、ユーザ管理部２１は、そのユーザがマスターユーザのステータスを取得する所定の条件を満たすユーザであるか否か、を判定する（Ｓ１０３）。ここで、所定の条件として、例えば、一般ユーザが、特定の店舗を、３人以上の他のユーザに対して紹介したこと、または、これに加えて、紹介したユーザが実際に店舗に来店し、サービスを利用したこと等が挙げられる。マスターユーザのステータスを取得する所定の条件をこのように設定することで、効率的にマスターユーザの数を増やすことができる。
【００６８】
ユーザ管理部２１が、そのユーザが、マスターユーザのステータスを取得する所定の条件を満たすユーザである、と判定した場合は、マスターユーザ管理部２２は、そのユーザにマスターユーザＩＤを付与し（Ｓ１０４）、マスターユーザ管理テーブル３２に、そのユーザＩＤに関連付けられたフィールドを生成し、ユーザ管理テーブル３１に格納された情報から必要な情報（ユーザ名、連絡先等の情報）の引き継ぎを行う。ユーザ管理部２１が、そのユーザが、マスターユーザのステータスを取得する所定の条件を満たすユーザではない、と判定した場合は、元の処理に戻る。
【００６９】
なお、図示しないが、ユーザ管理部２１が、そのユーザが、マスターユーザのステータスを取得する所定の条件を満たすユーザではない、と判定した場合、ユーザ管理部２１は、そのユーザに対し、マスターユーザのステータスを取得するための方法を提示することができる。例えば、そのユーザに対し、特定の店舗を選択するための画面、及び、特定の店舗を選択したときに、その店舗を紹介する他のユーザを（複数）選択する画面を表示することができる。または、マスターユーザのステータスを取得するために必要な教材を購入するための教材購入画面、或いは、Ｅラーニングで講座を受けるための申込画面、または、必要な検定を受検するための申込画面等を表示することもできる。
【００７０】
図１６は、本発明による第１の実施の形態による営業支援方法のうち、応援店舗登録に係る処理を示すフローチャートの例である。
【００７１】
まず、ユーザ管理部２１は、ユーザ端末２から受信されたユーザの、本アプリケーションへのログイン要求を受け付ける（Ｓ２０１）。続いて、ユーザ管理部２１は、ユーザ管理テーブルまたはマスターユーザ管理テーブルを参照し、そのユーザのユーザ情報を確認する（Ｓ２０２）。
【００７２】
ユーザ管理部２１は、ユーザ管理テーブルに、そのユーザのステータス情報を確認するか（一般ユーザであるか、マスターユーザであるか）、または、マスターユーザ管理テーブルに、そのユーザのマスターユーザＩＤが付与されているか、を確認し、そのユーザがマスターユーザであるか否か、判定する（Ｓ２０３）。
【００７３】
ユーザ管理部は、そのユーザが、マスターユーザである、と判定した場合、マスターユーザ管理部２２は、そのユーザから応援店舗の登録の入力を受信したか否かを判定する（Ｓ２０４）。そのユーザが、マスターユーザでない、と判定した場合は、元の処理に戻る。
【００７４】
マスターユーザ管理部２２は、そのユーザから応援店舗の登録の入力を判定する処理においては、例えば、そのユーザが他のユーザに対して特定の店舗を紹介する旨の入力があったか否かを判定することができる。例えば、そのユーザは、まず、常連店等のお気に入りの、或いは、応援したい店舗を選択する入力を行う。その後、そのユーザは、応援したい店舗を紹介する（複数の）ユーザを選択する入力を行う。そして、マスターユーザ管理部２２は、ユーザが応援する店舗情報をマスターユーザ管理テーブルに格納し、紹介管理部２３は、紹介内容を紹介履歴管理テーブルに格納する（Ｓ２０５）。例えば、マスターユーザ管理部２２は、「ユーザＡ」が、「店舗Ａ」を特定の店舗として選択し、その店舗を紹介するユーザとして、「ユーザＢ」「ユーザＣ」「ユーザＤ」を選択する入力を受け付けた場合、マスターユーザ管理テーブルに、特定した「店舗Ａ」に関する情報を応援店舗として登録し、紹介管理部２３は、紹介することで、「ユーザＢ」「ユーザＣ」「ユーザＤ」に対して付与される電子クーポンのクーポンＩＤを割り当て、紹介した「店舗Ａ」の情報と共に紹介履歴管理テーブル３３にクーポンＩＤ情報等を格納する。そのユーザから、応援したい店舗、または、紹介する他のユーザを選択する入力がない場合は、元の処理に戻る。
【００７５】
図１７は、本発明による第１の実施の形態による営業支援方法のうち、来店入力処理に係る処理を示すフローチャートの例である。
【００７６】
まず、店舗管理部２４は、店舗端末３からユーザが来店したことを示す入力を受信する（Ｓ３０１）。特定のユーザが来店したことを示す入力を受信する形態として、例えば、電子クーポンの例では、特定のユーザが持参したユーザ端末２において表示される本アプリケーション画面において、電子クーポンのＱＲコードを表示し、店舗端末３のスキャナー機能を用いてＱＲコードをスキャニングすることで、クーポンＩＤ及びその電子クーポンを利用したユーザＩＤを自動的に管理サーバ１に送信する形態、店舗端末３が本アプリケーションを介して、その店舗の紹介を受けたユーザのリストにアクセスし、そのリストから実際に来店したユーザを選択することで、クーポンＩＤ及びその電子クーポンを利用したユーザＩＤを管理サーバ１に送信する形態等が考えられる。
【００７７】
続いて、店舗管理部２４は、受信した来店情報を基に、来店履歴管理テーブルに、来店情報を格納する（Ｓ３０２）。例えば、図９の来店履歴管理テーブルにおいて、「店舗Ａ」に、「３月１日１８時」に、「ユーザＢ」「ユーザＣ」「ユーザＤ」が来店し、会計に際してクーポンＩＤ「Ｃ０００１」を利用したことを示す情報が来店履歴管理テーブルに格納される。
【００７８】
次に、報酬管理部２５は、店舗に来店し、クーポンを利用したユーザの紹介者を確認する（Ｓ３０３）。例えば、報酬管理部２５は、図９の来店履歴管理テーブルを参照し、クーポンＩＤ「Ｃ０００１」をキーとして、図７の紹介履歴管理テーブルを検索し、「Ｃ０００１」を付与したユーザは「ユーザＡ」であることを確認する。
【００７９】
次に、報酬管理部２５は、紹介者ユーザに対し、報酬を付与する処理を行う（Ｓ３０４）。例えば、報酬管理部２５は、「ユーザＡ」に対し、「店舗Ａ」を「ユーザＢ」「ユーザＣ」「ユーザＤ」に紹介し、実際に３名が来店し店舗を利用したことの見返りとして、３ポイントを付与する処理を行い、処理内容を図１０の報酬管理テーブルに格納する。ここで、報酬管理部２５は、ユーザＡに対して、ポイント付与ではなく、現金やその他の形態で報酬を付与することもでき、その場合は、ポイントに代わる他の指標が報酬管理テーブルに格納される。なお、報酬付与については、上述の通り、特定のステータスを有するマスターユーザに対して行われることが好ましい。これにより、ユーザは、マスターユーザになるための積極的な動機を持ち、また、マスターユーザになることで、継続的に店舗を紹介することを試みる。
【００８０】
図１８は、本発明による第１の実施の形態による営業支援方法のうち、売上按分処理に係る処理を示すフローチャートの例である。
【００８１】
まず、報酬管理部２５、店舗端末３からその店舗の売上データを受信する（Ｓ４０１）。次に、受信した売上データを基に、レベニューシェアを計算する（Ｓ４０２）。報酬管理部２５は、例えば、売上データの所定の割合を本アプリケーションの事業提供者の報酬として計上し、さらに、その報酬を、その店舗を応援するマスターユーザ間で按分したり、または、その店舗を紹介したマスターユーザに対して紹介ユーザの来店数に応じて配分したり、することができる。また、別のスキームとして、店舗端末を事業提供者から対価と交換して譲受け、その店舗端末を店舗に対して貸与や最上との形態で提供するユーザがいる場合には、そのユーザに対して報酬を配分することも可能である。報酬管理部２５は、算出されたレベニューシェアの配分処理を行う（Ｓ４０３）。
【００８２】
図１９は、本発明による第１の実施の形態による店舗端末に表示される応援ユーザの確認画面の例である。図１９Ａは、店舗端末３のディスプレイに表示される本アプリケーションの画面のうち、ユーザＩＤをポイント順にリストした画面である。図１９Ａにおけるポイント数は、上述の通り、そのユーザが店舗を他のユーザに紹介し、紹介したユーザが来店することで付与されるポイント数の総計である。これにより、店舗担当者は、その店舗に貢献するユーザを可視化して確認することができる。さらに、図１９Ａの画面において、例えば、店舗担当者は、「ユーザＡ」を選択すると、管理サーバ１は、マスターユーザ管理テーブルを参照し、ユーザＡの友だち一覧（ユーザＡがその店舗を紹介したユーザ一覧）を取得し、図１９Ｂのような画面を表示する。これにより、店舗担当者は、インフルエンサーであるユーザＡとつながりのあるユーザ（例えば、「ユーザＢ」）を特定し、そのユーザに対して販促メールやチャットメッセージを送信する等の営業活動を行うことができる。
【００８３】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【図１】
2019160062.tif 000003
【図２】
2019160062.tif 000004
【図３】
2019160062.tif 000005
【図４】
2019160062.tif 000006
【図５】
2019160062.tif 000007
【図６】
2019160062.tif 000008
【図７】
2019160062.tif 000009
【図８】
2019160062.tif 000010
【図９】
2019160062.tif 000011
【図１０】
2019160062.tif 000012
【図１１】
2019160062.tif 000013
【図１２】
2019160062.tif 000014
【図１３】
2019160062.tif 000015
【図１４】
2019160062.tif 000016
【図１５】
2019160062.tif 000017
【図１６】
2019160062.tif 000018
【図１７】
2019160062.tif 000019
【図１８】
2019160062.tif 000020
【図１９】
2019160062.tif 000021